(57)【要約】【課題】  番組を視聴しつつ、メタデータコンテンツを選択することで、配信サーバから、視聴者の識別情報が付加されたメタデータコンテンツ本体を電子メールに添付して送信するデジタル放送システム及び方法を提供する。【解決手段】  本発明のデジタル放送システムは、番組とメタデータとを配信する配信サーバと、番組とメタデータとを受信してＴＶモニタに表示するセットトップボックスとを有し、携帯電話の識別番号に対応して設けられ、ブックマークしたメタデータを示すメタデータＩＤを記憶する記憶領域と、メタデータＩＤと視聴者を識別するユーザＩＤとを付加した依頼電子メールを配信サーバへ送信するメタデータ操作制御部とを有し、ユーザＩＤと携帯電話のメールアドレスとを記憶したユーザ情報部と、依頼電子メールを受信すると、メタデータＩＤに対応したメタデータを電子メールにて携帯電話に送信するメタデータ加工部とを有する。【選択図】    図１
2006246064.tif 000002
【特許請求の範囲】
【請求項１】
番組の動画データとともにメタデータを配信する配信サーバと、動画データとメタデータとを受信してＴＶモニタに表示するセットトップボックスとを有するデジタル放送システムであり、
前記セットトップボックスが、
携帯電話の識別番号に対応して設けられ、ブックマークしたメタデータを示すメタデータＩＤを記憶する記憶領域と、
前記メタデータＩＤと視聴者を識別するユーザＩＤとを付加した依頼電子メールを前記配信サーバへ送信するメタデータ操作制御部と
を有し、
前記配信サーバが
ユーザＩＤとこのユーザＩＤの視聴者の携帯電話のメールアドレスとを記憶したユーザ情報部と、
前記依頼電子メールを受信すると、メタデータＩＤに対応したメタデータを付加した電子メールを視聴者の携帯電話に送信するメタデータ加工部と
を有することを特徴とするデジタル放送システム。
【請求項２】
前記メタデータ加工部がメタデータＩＤからメタデータのＵＲＬを抽出し、このＵＲＬの指し示すＨＴＭＬ本体をメール内容とすることを特徴とする請求項１記載のデジタル放送システム。
【請求項３】
前記メタデータ加工部が視聴者の携帯電話に送信するメールに、視聴者を識別する識別情報を付加することを特徴とする請求項１または請求項２に記載のデジタル放送システム。
【請求項４】
前記セットトップボックスが前記ユーザＩＤと携帯電話識別ＩＤとを対応づけて記憶する携帯電話識別ＩＤ登録部を有しており、
携帯電話から携帯電話識別ＩＤがブックマーク処理する情報とともに送信されてくると、携帯電話を使用しているユーザＩＤを前記携帯電話識別ＩＤ登録部から抽出することを特徴とする請求項１から請求項３のいずれかに記載のデジタル放送システム。
【請求項５】
配信サーバから配信される番組の動画データとメタデータとを受信し、この動画データとメタデータとをＴＶモニタに表示するセットトップボックスであり、
携帯電話の識別番号に対応して設けられ、ブックマークしたメタデータを示すメタデータＩＤを記憶する記憶領域と、
前記メタデータＩＤと視聴者を識別するユーザＩＤとを付加し、メタデータＩＤに対応したメタデータを付加した電子メールを視聴者の携帯電話に送信することを依頼する依頼電子メールを前記配信サーバへ送信するメタデータ操作制御部と
を有することを特徴とするセットトップボックス。
【請求項６】
配信サーバが番組の動画データとともにメタデータを配信し、セットトップボックスが動画データとメタデータとを受信してＴＶモニタに表示するデジタル放送方法であり、
前記セットトップボックスにおいて実行される、
ブックマークしたメタデータを示すメタデータＩＤを、携帯電話の識別番号に対応して設けられた記憶部に記憶する過程と、
メタデータ操作制御部が前記メタデータＩＤと視聴者を識別するユーザＩＤとを付加した依頼電子メールを前記配信サーバへ送信する過程と
を有し、
前記配信サーバにおいて実行される、
ユーザＩＤとこのユーザＩＤの視聴者の携帯電話のメールアドレスとをユーザ情報部に記憶する過程と、
メタデータ加工部が前記依頼電子メールを受信すると、メタデータＩＤに対応したメタデータを付加した電子メールを視聴者の携帯電話に送信する過程と
を有することを特徴とするデジタル放送方法。
【請求項７】
配信サーバから配信される番組の動画データとメタデータとを受信し、この動画データとメタデータとをＴＶモニタに表示するセットトップボックスにおけるデジタル放送受信方法であり、
ブックマークしたメタデータを示すメタデータＩＤを、携帯電話の識別番号に対応して設けられた記録領域に記憶する過程と、
メタデータ操作制御部が、前記メタデータＩＤと視聴者を識別するユーザＩＤとを付加し、メタデータＩＤに対応したメタデータを付加した電子メールを視聴者の携帯電話に送信することを依頼する依頼電子メールを前記配信サーバへ送信する過程と
を有することを特徴とするセットトップボックスにおけるデジタル放送受信方法。
【請求項８】
配信サーバから配信される番組の動画データとメタデータとを受信し、この動画データとメタデータとをＴＶモニタに表示するセットトップボックスにおけるデジタル放送受信の処理をコンピュータに実行させるプログラムであり、
ブックマークしたメタデータを示すメタデータＩＤを、携帯電話の識別番号に対応して設けられた記録領域に記憶する処理と、
メタデータ操作制御部が、前記メタデータＩＤと視聴者を識別するユーザＩＤとを付加し、メタデータＩＤに対応したメタデータを付加した電子メールを視聴者の携帯電話に送信することを依頼する依頼電子メールを前記配信サーバへ送信する処理と
を有するデジタル放送受信の処理をコンピュータに実行させるプログラム。
【発明の詳細な説明】
【技術分野】
【０００１】
本発明は、画像データ及びメタデータとからなる放送データを配信する配信装置と、放送データを受信して画面に表示する受信装置とからなるデジタル放送システム及び方法に関する。
【背景技術】
【０００２】
従来、デジタル放送においては、配信装置（配信サーバ）が実際の放送番組（コンテンツ）と共に、メタデータ（この放送番組に関した情報及びコマーシャル）を配信（放送）している。
そして、受信装置（ＳＴＢ：セットトップボックス）は配信されたコンテンツとメタデータとを別々に、画面上の分割画面及び別画面に表示し、リアルタイムに双方の画面を視聴することができる。
放送番組に関した情報としては、番組名，番組内容，チャンネル番号、開始時刻及び終了時刻などがあり、コマーシャルとしては番組のスポンサーが支払う広告料に対応した時間や画面の大きさにより表示処理が行われる（例えば、非特許文献１参照）。
【０００３】
一方、上記メタデータで表示されるスポンサーのコマーシャルにおいて、例えばそのコマーシャルのスポンサーのホームページに携帯電話のＷＥＢ接続機能を使用してアクセスすることにより、利用者が携帯電話の画面に、クーポン券の画像を表示して利用したり、サービス情報を確認したりすることができる（例えば、非特許文献２参照）。
また、上記ホームページに対して、携帯電話でアクセスすることにより、スポンサーである飲食店や衣料品店等の商店がメールによって利用者の携帯電話に、所定のサービス情報を送信することも行われている。
【０００４】
上述した従来のデジタル放送システムは、図１０に示すように、コンテンツ及びメタデータの複合情報データをネットワークＮを介して配信する配信サーバ１００と、このネットワークＮを介して、上記複合情報データを受信するＳＴＢ・２００とから構成されている。視聴者が携帯電話リモコン３００により視聴したいチャンネル番号を入力すると、そのチャンネル番号に対応したリモコンコード情報を赤外線により発信する。これにより、ＳＴＢ・２００において、赤外線受光部２０９は携帯電話リモコン３００からのリモコンコード情報を受信する。そして、リモコンコード解析部２０５は、このリモコンコードＲＶモニタ４００に表示させる上記チャンネル番号より、リモコンコード情報部２０７からこのチャンネル番号に対応する番組配信用ＵＲＬを読み出す。これにより、同期処理部２０２は、通信制御部２０１を介して配信サーバ１００に対し、読み出された番組配信用ＵＲＬを送信し、コンテンツの配信要求を行う。
【０００５】
配信サーバ１００において、コンテンツ制御部１０１はＳＴＢ・２００からの番組配信用ＵＲＬを通信制御部１０３を介して受信する。これにより、コンテンツ制御部１０１は、この番組配信用ＵＲＬに対応した番組コンテンツ（動画データ）を番組コンテンツ部１０６から抽出して、通信制御部１０３を介してＳＴＢ・２００へストリーミング配信する。
そして、ＳＴＢ・２００において、同期処理部２０２は、通信制御部２０１を介して受信する番組コンテンツから番組ＩＤを抽出し、この番組ＩＤを通信制御部２０１を介して配信サーバ１００へ送信し、番組ＩＤに対応する番組メタデータ及びＣＭメタデータの配信要求を行う。
【０００６】
次に、配信サーバ１００において、メタデータ制御部１０２は、ＳＴＢ・２００から番組ＩＤが入力されると、この番組ＩＤに対応したメタデータとして、番組メタデータ及びＣＭメタデータ各々を、それぞれ番組メタデータ部１０９，番組ＣＭデータ部１１０から読み出し、ＳＴＢ・２００へ送信する。
そして、ＳＴＢ・２００において、同期処理部２０２は、受信した番組メタデータ及びＣＭメタデータを解析して、ＴＶモニタ４の画面に番組コンテンツの画像データとともに表示するメタデータコンテンツとＣＭコンテンツとのＵＲＬ及び表示する開始時間を抽出する。メタデータコンテンツは、番組コンテンツに対応したものであり、自身を識別するメタデータＩＤが記述されており、配信サーバ１のメタデータコンテンツ部１０８において、このメタデータＩＤに対応して記憶され、本発明においてはＣＭコンテンツに対応した情報として説明している。
【０００７】
そして、同期処理部２０２は、受信する番組コンテンツに示されている表示タイミングに合わせて、順次、この番組コンテンツを表示データ再生部２０４へ出力する。これにより、表示データ再生部２０４は入力される番組コンテンツの画像データをＴＶモニタ４の画面に表示させる。
また、同期処理部２０２は、メタデータコンテンツ及びＣＭコンテンツを表示する開始時間となると、配信サーバ１００に対して、番組メタデータ及びＣＭメタデータのＵＲＬを送信して、番組メタデータ及びＣＭメタデータの配信を要求する。
【０００８】
次に、配信サーバ１００において、コンテンツ制御部１０１は、ＳＴＢ・２００からの番組メタデータ及びＣＭメタデータに記述されたＵＲＬにより、ＣＭコンテンツ部１０７，メタデータコンテンツ部１０８から、ＣＭコンテンツ及びメタデータコンテンツを各々読み出し、ＳＴＢ・２００へ配信する。このＣＭメタデータには、自身の識別情報であるメタデータＩＤが記述されている。
そして、ＳＴＢ・２００において、同期処理部２０２は、配信サーバ１００から受信したＣＭコンテンツ及びメタデータコンテンツを、それぞれに記述されたフォーマットに指定し、表示データ再生部２０４を介してＴＶモニタ４の画面に、番組コンテンツとともに表示する。
【０００９】
そして、携帯電話リモコン３００は、各種キー入力部３０１，入力制御部３０２，リモコンコード制御部３０３，メール受信部３０４，メール表示部３０５，リモコンコード情報部３０６及び赤外発光部３０８から構成されている。視聴者が各種キー入力部３０１からチャンネル番号を入力すると、リモコンコード制御部３０３がチャンネル番号に対応したリモコンコード情報を、リモコン情報コード部３０６から読みだし、赤外線発光部３０８により赤外線信号としてＳＴＢ・２００へ発信する。また、携帯電話リモコン３００は、通常の携帯電話と同様にＷＥＢに接続したり、電子メールの送受信、及び電話としての通話機能を有している。
【００１０】
そして、すでに述べた様に、ＣＭコンテンツに表示されたスポンサーのホームページに対して、携帯電話リモコン３００によりアクセスすることで、スポンサーである飲食店や衣料品店等の商店が、視聴者の携帯電話リモコン３００にメールによってクーポン券などの所定のサービス情報を送信する。これにより、携帯電話リモコン３００において、メール受信部３０４が上記メールを受信し、入力制御部３０２がメールに記載されているサービス情報をメール表示部３０５に表示させる。
【非特許文献１】http://www.dekiru.tv/tcommer/index_j.htm（2005年2月25日にアクセス）
【非特許文献２】http://mo-on.net/basic/option/2dbc.html?banner_id=19（2005年2月25日にアクセス）
【発明の開示】
【発明が解決しようとする課題】
【００１１】
上述したように、従来のデジタル放送システムにおいては、視聴者が番組をＴＶモニタ４の画面で視聴中に、その表示画像が分割または別画面等でＣＭコンテンツに対応したメタデータコンテンツを表示させ、その場でサービス内容を参照する仕組みになっていた。
しかしながら、従来のデジタル放送システムにおいては、メタデータの内容が地図情報や飲食店のクーポン券などように持運んで参照したり使ったりする場合、一々プリンタを用いて印刷するする必要があるため、サービス情報の利用が面倒である。
【００１２】
また、従来のデジタル放送システムには、通常の場合、クーポン券情報を携帯電話へ転送する際、ＵＲＬのリンク情報だけなので、使用したい店及びその周辺に基地局がない場合や、地下街などで電波状態が悪い場合、メタデータで視聴したスポンサーのホームページ（ＵＲＬ）に、携帯電話によりアクセスすることができず、クーポンや地図等のサービス情報を必要なときに利用することができないという問題がある。
さらに、従来のデジタル放送システムには、スポンサーがクーポン券をメールでアクセスした視聴者に転送した場合、受取った視聴者が、アクセスしていない他のユーザに転送してしまうと、アクセスしておらず実際には使用する権利のない視聴者がクーポン券を使用することができるという欠点がある。
【００１３】
本発明は、このような事情に鑑みてなされたもので、ＴＶモニタの画面を視聴しながら、気になるスポンサーのメタデータコンテンツ（記述されているＵＲＬリンクされているサービス情報の画像データを含む）を選択することにより、デジタル放送を配信している配信サーバから、必要に応じて視聴者の携帯電話の識別情報が付加されたＣＭコンテンツ（ＴＶモニタに表示された画像データそのもの）を電子メールに添付して送信するデジタル放送システム及び方法を提供することを目的とする。
【課題を解決するための手段】
【００１４】
本発明のデジタル放送システムは、番組の動画データとともにメタデータを配信する配信サーバと、動画データとメタデータ（実施形態におけるメタデータコンテンツ）とを受信してＴＶモニタに表示するセットトップボックスとを有するデジタル放送システムであり、前記セットトップボックスが、携帯電話の識別番号に対応して設けられ、ブックマークしたメタデータを示すメタデータＩＤを記憶する記憶領域と、前記メタデータＩＤと視聴者を識別するユーザＩＤとを付加した依頼電子メールを前記配信サーバへ送信するメタデータ操作制御部とを有し、前記配信サーバがユーザＩＤとこのユーザＩＤの視聴者の携帯電話のメールアドレスとを記憶したユーザ情報部と、前記依頼電子メールを受信すると、メタデータＩＤに対応したメタデータを付加した電子メールを視聴者の携帯電話に送信するメタデータ加工部とを有することを特徴とする。
【００１５】
本発明のデジタル放送システムは、前記メタデータ加工部がメタデータＩＤからメタデータのＵＲＬを抽出し、このＵＲＬの指し示すＨＴＭＬ本体をメール内容とすることを特徴とする。
【００１６】
本発明のデジタル放送システムは、前記メタデータ加工部が視聴者の携帯電話に送信するメールに、視聴者を識別する識別情報を付加することを特徴とする。
【００１７】
本発明のデジタル放送システムは、前記セットトップボックスが前記ユーザＩＤと携帯電話識別ＩＤとを対応づけて記憶する携帯電話識別ＩＤ登録部を有しており、
携帯電話から携帯電話識別ＩＤがブックマーク処理する情報とともに送信されてくると、携帯電話を使用しているユーザＩＤを前記携帯電話識別ＩＤ登録部から抽出することを特徴とする。
【００１８】
本発明のセットトップボックスは、配信サーバから配信される番組の動画データとメタデータとを受信し、この動画データとメタデータとをＴＶモニタに表示するセットトップボックスであり、携帯電話の識別番号に対応して設けられ、ブックマークしたメタデータを示すメタデータＩＤを記憶する記憶領域と、前記メタデータＩＤと視聴者を識別するユーザＩＤとを付加し、メタデータＩＤに対応したメタデータを付加した電子メールを視聴者の携帯電話に送信することを依頼する依頼電子メールを前記配信サーバへ送信するメタデータ操作制御部とを有することを特徴とする。
【００１９】
本発明のデジタル放送方法は、配信サーバが番組の動画データとともにメタデータを配信し、セットトップボックスが動画データとメタデータとを受信してＴＶモニタに表示するデジタル放送方法であり、前記セットトップボックスにおいて実行される、ブックマークしたメタデータを示すメタデータＩＤを、携帯電話の識別番号に対応して設けられた記憶部に記憶する過程と、メタデータ操作制御部が前記メタデータＩＤと視聴者を識別するユーザＩＤとを付加した依頼電子メールを前記配信サーバへ送信する過程とを有し、前記配信サーバにおいて実行される、ユーザＩＤとこのユーザＩＤの視聴者の携帯電話のメールアドレスとをユーザ情報部に記憶する過程と、メタデータ加工部が前記依頼電子メールを受信すると、メタデータＩＤに対応したメタデータを付加した電子メールを視聴者の携帯電話に送信する過程とを有することを特徴とする。
【００２０】
本発明のセットトップボックスにおけるデジタル放送受信方法は、配信サーバから配信される番組の動画データとメタデータとを受信し、この動画データとメタデータとをＴＶモニタに表示するセットトップボックスにおけるデジタル放送受信方法であり、ブックマークしたメタデータを示すメタデータＩＤを、携帯電話の識別番号に対応して設けられた記録領域に記憶する過程と、メタデータ操作制御部が、前記メタデータＩＤと視聴者を識別するユーザＩＤとを付加し、メタデータＩＤに対応したメタデータを付加した電子メールを視聴者の携帯電話に送信することを依頼する依頼電子メールを前記配信サーバへ送信する過程とを有することを特徴とする。
【００２１】
本発明のプログラムは、配信サーバから配信される番組の動画データとメタデータとを受信し、この動画データとメタデータとをＴＶモニタに表示するセットトップボックスにおけるデジタル放送受信の処理をコンピュータに実行させるプログラムであり、ブックマークしたメタデータを示すメタデータＩＤを、携帯電話の識別番号に対応して設けられた記録領域に記憶する処理と、メタデータ操作制御部が、前記メタデータＩＤと視聴者を識別するユーザＩＤとを付加し、メタデータＩＤに対応したメタデータを付加した電子メールを視聴者の携帯電話に送信することを依頼する依頼電子メールを前記配信サーバへ送信する処理とを有するデジタル放送受信の処理をコンピュータに実行させるプログラムである。
【発明の効果】
【００２２】
以上説明したように、本発明によれば、ＴＶモニタの画面を視聴しながら、気になるスポンサーのメタデータコンテンツ（ＣＭコンテンツに対応したサービス情報）を選択することにより、デジタル放送を配信している配信サーバから、ＴＶモニタに表示されているメタデータコンテンツのＵＲＬの示すＨＴＭＬ本体が内容として、電子メールが送信されるため、あとでメタデータに記述されているＵＲＬを使ってＷＥＢでホームページにアクセスする必要がないため、容易にサービス情報を取得でき、携帯電話に地図やクーポン券などのサービス情報が画像データとして記憶されているため、持ち運びも容易であり、電波状態の悪いところでも関係なく、必要な時にクーポン券などを利用することが可能となり、視聴者がデジタル放送のメタデータを効果的に利用することができる。
【００２３】
また、本発明によれば、メタデータコンテンツの画像データに対して、携帯電話の識別情報がバーコードや文字列などにより付加されているため、番組を見た視聴者に対して所定の特典として、特定の視聴者に対して送信されるクーポン券が、その携帯電話を保持している視聴者以外の利用者の使用を防止することができる。
【発明を実施するための最良の形態】
【００２４】
以下、本発明の一実施形態によるデジタル放送システムを図面を参照して説明する。図１は同実施形態の構成例を示すブロック図である。この図において、図１０に示す従来のシステムと同一の部分を示す。配信サーバ１において、コンテンツ制御部１１，メタデータ制御部１２，通信制御部１３，番組コンテンツ部１６，ＣＭコンテンツ部１７，メタデータコンテンツ部１８，番組メタデータ部１９，番組ＣＭデータ部２０各々が、それぞれ配信サーバ１００（図１０）におけるコンテンツ制御部１０１，メタデータ制御部１０２，通信制御部１０３，番組コンテンツ部１０６，ＣＭコンテンツ部１０７，メタデータコンテンツ部１０８，番組メタデータ部１０９，番組ＣＭデータ部１１０と同様の構成及び機能を有している。
【００２５】
また、ＳＴＢ・２において、通信制御部２１，同期処理部２２，表示データ再生部２４，リモコンコード解析部２５，リモコンコード情報部２７，赤外線受光部２９各々が、それぞれＳＴＢ・２００（図１０）における通信制御部２０１，同期処理部２０２，表示データ再生部２０４，リモコンコード解析部２０５，リモコンコード情報部２０７，赤外線受光部２０９と同様の構成及び機能を有している。
さらに、携帯電話リモコン３において、各種キー入力部３１，入力制御部３２，メール受信部３４，メール表示部３５，赤外線発光部３８各々が、それぞれ携帯電話リモコン３００（図１０）における各種キー入力部３１，入力制御部３２，メール受信部３４，メール表示部３５，赤外線発光部３８と同様の構成及び機能を有している。
【００２６】
以下、上述した各構成の機能において、従来例と異なる機能、及び一実施形態に新たに付加された構成に対して説明する。
この一実施形態が従来のデジタル放送システムと異なる点は、配信サーバ１においてメタデータ加工部１４及びユーザ情報部１５が設けられ、ＳＴＢ・２においてメタデータ操作制御部２３，ユーザ別領域部２６，携帯電話識別ＩＤ登録部２８が設けられ、また、携帯電話リモコン３において携帯電話識別ＩＤ部３７が設けられている点である。
【００２７】
配信サーバ１において、メタデータ加工部１４は、ＳＴＢ・２から送信されるユーザＩＤとメタデータコンテンツを識別するメタデータＩＤとにより、メタデータＩＤに対応したメタデータコンテンツに記載されたＵＲＬでリンクされたＨＴＭＬ本体（Ｃ画像データ等を含むＭコンテンツの補足情報）を、メタデータ制御部１２を介してメタデータコンテンツ部１８から読み出し、このメタデータコンテンツのＨＴＬＭ本体が付加されたＨＴＭＬ形式の電子メールを生成し、ユーザＩＤに対応したメールアドレスをユーザ情報部１５から読み出し、ＳＭＴＰサーバ５等を介して視聴者の携帯電話リモコン３に送信する。ユーザ情報部１５には、ユーザＩＤ各々に対応して、視聴者のメールアドレス、視聴者名などが記憶されている。番組ＣＭデータ部２０には、番組ＩＤに対応してＣＭメタデータが記憶されている。
【００２８】
次に、携帯電話リモコン３において、リモコンコード制御部３３は、各種キー入力部３１のいずれのキーが押されたかを示すキー情報の操作状態を監視し、チャンネル入力や制御入力（十字キー、中央キー、ブックマークキー等のキー；図２参照）の操作状態に応じたキー情報により、リモコンコード情報部３６からリモコンコードを読み出すとともに、携帯電話リモコン自身を識別する携帯電話識別ＩＤを携帯電話識別ＩＤ部３７から読み出し、リモコンコードに携帯電話識別ＩＤを読み出して付加してリモコンコード情報とし、赤外線発光部３８を介して、このリモコンコード情報を発信する。
ここでのブックマークとは、選択したものをお気に入りのメタデータとしてＳＴＢ・２のユーザ別領域部２６の各携帯電話識別ＩＤに対向した領域に記憶させておく機能を示している。
【００２９】
図２には、携帯電話リモコン３の各キーが示されており、メタデータコンテンツを選択するブックマークボタン，ブックマークボタンによりメタデータコンテンツを選択する選択枠を移動させる十字キーやチャンネルを変更するＣＨ＋，ＣＨ−が示されている。また、この図２における表示形態１及び表示形態２は、ＴＶモニタ４の画面における番組コンテンツ，ＣＭコンテンツ及びメタデータコンテンツの表示形態を示している。ここでは、画面が分割され、番組コンテンツの画像とＣＭコンテンツの画像とメタデータコンテンツの画像とが同一画面に表示されている。
リモコンコード情報部３６には、各種キー情報に対応したリモコンコードが格納されている。また、携帯電話識別ＩＤ部３７には、自身を識別するための携帯電話識別ＩＤが格納されている。
【００３０】
次に、ＳＴＢ・２において、リモコンコード解析部２５は、赤外線受光部２９を介して受信したリモコンコード情報を解析し、リモコンコードと携帯電話識別ＩＤとを抽出し、リモコンコードに対してはリモコンコード解析部２０５（図１０）と同様の動作を行う。また、リモコンコード解析部２５は、解析結果として、リモコンコードがブックマークのキー及び一覧表示キーが操作されたことを検出すると、携帯電話識別ＩＤ登録部２８から、上記携帯電話識別ＩＤに対応したユーザＩＤを抽出し、いずれのキーが操作されたかを示すキー情報とともに抽出したユーザＩＤをメタデータ操作制御部２３へ出力する。
携帯電話識別ＩＤ登録部２８には、上記ＳＴＢ・２を使用する視聴者毎の携帯電話識別ＩＤに対応して、ユーザＩＤ及び携帯電話リモコン３のメールアドレスが記憶されている。
【００３１】
リモコンコード情報部２７には、リモコンコード毎に対応して、チャンネル番号，チャンネル制御やその他のキーによる制御入力（十字キー、中央キー、ブックマークキー等）情報が少なくとも記憶されている。
メタデータ操作制御部２３は、入力されるキー情報を判定して、ブックマークキーの操作されたキー情報が入力されたことを検出すると、ブックマークキーが押されたことを検出し、同期処理部２２より選択されたＣＭメタデータを取得し、このメタデータのメタデータＩＤをユーザ別領域部２６へ保存する。
【００３２】
また、メタデータ操作制御部２３は、ユーザ領域に保存されているメール転送情報を読み出し、メール送信を行うか否かの検出を行い、メール転送情報がメール転送状態にある場合、メール送信先である視聴者のユーザＩＤとメタデータＩＤとが記述されたメールを配信サーバ１へ送信し、一方、メール転送情報がメール転送状態にない場合、ユーザＩＤとメタデータＩＤとのメール送信を行わない。また、メタデータ操作制御部２３は、一覧表示キーの操作されたキー情報が入力されると、保存されているメタデータＩＤに対応したメタデータコンテンツを表示データ再生部２４を介してＴＶモニタ４へ一覧表示する。
【００３３】
ここで、メタデータ操作制御部２３は、一覧表示中のメタデータコンテンツが選択され、転送操作が行われると、上記同様にユーザＩＤとメタデータＩＤとが記述されたメールを配信サーバ１へ送信する。
ユーザ別領域部２６は、ＳＴＢ・２を使用する視聴者の各種データが登録された記憶部であり、登録される携帯電話識別ＩＤ毎に一定量の記憶領域を割当て、携帯電話識別ＩＤに対応して、利用者ＩＤ，ブックマークしたメタデータコンテンツ，メタデータコンテンツに対応したメタデータＩＤ，およびメール転送を行うか否かを示すメール転送情報を記憶している。
【００３４】
次に、図１，図３及び図４及び図１１を参照して、本発明のデジタル放送システムにおけるサービス情報の提供の動作を説明する。図３は、携帯電話リモコン３における視聴者の入力による各種キーの操作によるキー情報を出力する動作例を示すフローチャートである。図４は、ＳＴＢ・２におけるキー情報及びユーザＩＤが入力された場合、視聴者の携帯電話リモコン３に対して電子メールの送信を配信サーバ１へ依頼する動作例を示すフローチャートである。
【００３５】
以下の説明の前提として、ＭＭＴＶの環境（ＴＶ放送に連携して対応するメタデータ（付随情報としてのコンテンツ画像）を表示する環境）において、ＳＴＢ・２を使用する視聴者各々は、自身が利用する携帯電話リモコン３をそれぞれ保有し、ＳＴＢ・２に対して携帯電話リモコンＩＤに対応して、自身を識別するユーザＩＤ、携帯電話リモコン３のメールアドレス，メール転送情報の設定を行う。このとき、視聴者は、携帯電話リモコン３を用いて、携帯電話識別ＩＤ，自身を識別するユーザＩＤ，携帯電話リモコン３のメールアドレス，ユーザの名前であるユーザ名，メール転送情報等のユーザ情報を、登録依頼情報とともにＳＴＢ・３へ送信する。
【００３６】
これにより、ＳＴＢ・３において、リモコンコード解析部２５は、入力される上記登録依頼情報により、ともに送信されてきたユーザ情報の登録処理を行うことを検出すると、携帯電話識別ＩＤ登録部２８に対し、携帯電話識別ＩＤに対応させて、視聴者のユーザＩＤ，携帯電話リモコン３のメールアドレス，ユーザ名等のユーザ情報を記憶させるとともに、メタデータ操作制御部２６に対して、上記ユーザ情報の登録を依頼する。
【００３７】
これにより、メタデータ操作制御部２６は、入力された携帯電話識別ＩＤ毎に図５に示す携帯領域を生成して、メール転送情報（メール転送を行うか否かを示す情報）を各々書き込み、配信サーバ１に対して、ユーザ情報を付加して、視聴者登録の依頼メールを送信する。
そして、配信サーバ１において、視聴者登録の依頼メールを受信すると、メタデータ加工部１４が、ユーザ情報に対応して、ユーザ名，携帯電話リモコンのメールアドレス等を記憶する。
【００３８】
次に、図２において、表示形態１の示す様に、すでに視聴者は所定のチャンネルを選局して、ＴＶモニタ４の画面に番組コンテンツ（番組コンテンツはストリーミング配信される動画データである），ＣＭコンテンツ及びメタデータコンテンツの分割画像が表示されているとする。
入力制御部３２は、各種キー入力部３１（図２の携帯電話リモコン３の各手キーに相当）において、十字キー，中央キー，ブックマークキー等の各種キーが操作されたか否かを示すＯＮ／ＯＦＦ状態の検出を行い、検出結果としてキー情報をリモコンコード制御部３３へ出力する（ステップＳ２１）。
【００３９】
そして、リモコンコード制御部３３は、入力されるキー情報により、各種キーの操作状態がＯＮであるかＯＦＦであるかの検出を行い、いずれもＯＦＦであることを検出すると、処理をステップＳ２１へ戻し、いずれかがＯＮであることを検出する、処理をステップＳ２３へ進める（ステップＳ２２）。
次に、リモコンコード制御部３３は、操作状態がＯＮと検出されたキー情報に対応するリモコンコードをリモコンコード情報部３６から読みだし、携帯電話識別ＩＤ部３７から携帯電話識別ＩＤを読みだし、リモコンコードに付加してリモコンコード情報とし（ステップＳ２３）、このリモコンコード情報を赤外線発光部３８により、赤外線リモコン信号としてSTB・２に対して発信する（ステップＳ２４）。
【００４０】
次に、図４において、ＳＴＢ・２の赤外線受光部２９は赤外線リモコン信号を受信し、リモコンコード情報へ変換し、このリモコンコード情報をリモコンコード解析部２５へ出力する（ステップＳ１）。そして、リモコンコード解析部２５は、リモコンコード情報から携帯電話識別ＩＤとリモコンコードとを抽出する（ステップＳ２）。
そして、リモコンコード解析部２５は、携帯電話識別ＩＤが携帯電話識別ＩＤ登録部２８に登録されているか否かの検出を行い、登録されていないことが検出された場合、登録処理を促す表示を行い処理を終了し、一方、登録されていることが検出された場合、処理をステップＳ４へ進める（ステップＳ３）。
【００４１】
次に、リモコンコード解析部２５は、リモコンコードがメタデータコンテンツを選択するブックマークキーの操作を示すものであるか否かの検出を行い、ブックマークキーの操作であることを検出した場合、処理をステップＳ５へ進め、一方、ブックマークキーの操作でないことを検出した場合、ブックマーク処理であることをメタデータ操作制御部２３へ通知し、処理をステップＳ８へ進める（ステップＳ４）。
【００４２】
次に、メタデータ操作制御部２３は、ＴＶモニタ４の画面において十字キーで移動するカーソルが選択している分割画面のメタデータコンテンツに対応するメタデータを同期処理部２２から取得し、このメタデータに対応するメタデータＩＤを抽出し、ユーザ別領域部２６において、図５に示す様に、このリモコンコード情報に付加されていた携帯電話識別ＩＤに対応する領域に、メタデータＩＤとメタデータコンテンツとを対応させて記憶する（ステップＳ５）。
【００４３】
そして、メタデータ操作制御部２３は、ユーザ別領域部２６において、ブックマークキーの選択処理を行った携帯電話リモコン３の携帯電話識別ＩＤに対応する領域に記憶されているメール転送情報を読み出し、このメール転送情報がメール転送処理の実行を行うことを示しているか否かの検出を行い、メール転送情報がメール転送処理の実行を示していることを検出した場合、処理をステップＳ７へ進め、一方、メール転送情報がメール転送処理の実行を示していないことを検出した場合、処理を終了する（ステップＳ６）。
【００４４】
そして、メタデータ操作制御部２３は、メタデータＩＤとユーザＩＤとが付加された電子メールを配信サーバ１へ送信する（ステップＳ７）
ここで、配信サーバ１に送信する電子メールは、ブックマークされたメタデータコンテンツが付加されたＨＴＭＬ形式として電子メールを生成し、この生成した電子メールを、ブックマークした視聴者の携帯電話リモコン３に対して送信することを依頼する依頼電子メールである。
【００４５】
また、ステップＳ４において、リモコンコード解析部２５は、ブックマークキーの操作でないことを検出した場合、処理をステップＳ８へ進める。
そして、リモコンコード解析部２５は、キー情報がカーソルキー（十字キーなどのＴＶモニタ４の画面上でカーソルを移動させるキー）か否かの検出を行い、カーソルキーであることを検出した場合、処理をステップＳ９へ進め、一方、カーソルキーでないことを検出した場合、処理をステップＳ１０へ進める（ステップ８）。
【００４６】
次に、リモコンコード解析部２５は同期処理部２２にカーソルの移動を指示し、同期処理部２２はこの指示を受けて、表示データ再生部２４を介して、図２に示す様に、ＹＶモニタ４の画面上において指定された位置に、カーソルを移動させて処理を終了する（ステップＳ９）。
また、リモコンコード解析部２５は、キー情報がメニューキーか否かの検出を行い、メニューキーであることを検出した場合、処理をステップＳ１１へ進め、メニューキーでないことを検出した場合、処理をステップＳ１２へ進める（ステップＳ１０）。
【００４７】
次に、リモコンコード解析部２５は、メニュー画面（図６に示す表示画面Ａ）に遷移する指示を同期処理部２２へ出力する。これにより、同期処理部２２は、録画済み一覧，録画予約一覧，獲得ポイント一覧，各携帯電話識別ＩＤの選択してブックマークしたＣＭデータ（ユーザ別領域部２６において、各携帯電話識別ＩＤに対応した領域に記憶されている）の一覧表示などの処理が記載されたメニュー画像をＴＶモニタ４の画面に表示する（ステップＳ１１）。
【００４８】
例えば、このメニュー画面において、一覧表示が選択されると、図６の表示画面Ｂに示されるように、同期処理部２２がブックマークされているメタデータコンテンツをＴＶモニタ４の画面に一覧表示される。そして、図６の表示画面ＢのいずれかのＣＭコンテンツをカーソル移動させ、決定キーを押すと、選択されたメタデータコンテンツの詳細情報が表示画面Ｃのように表示される。そして、表示画面Ｃにおいて、転送ボタンを選択して決定キーを押す（携帯電話リモコン３の操作）ことにより、配信サーバ１へのメール転送処理（依頼電子メールの送信）を行う。
【００４９】
そして、リモコンコード解析部２５は、キー情報が決定キーか否かの検出を行い、決定キーであることを検出した場合、処理をステップＳ１３へ進め、決定キーでないことを検出した場合、処理をステップＳ１４へ進める（ステップＳ１２）。
次に、リモコンコード解析部２５は、選択されている内容の画面へ遷移する指示を同期処理部２２へ出力する（ステップＳ１３）。これにより、同期処理部２２は、図２において、表示形態１のように、メタデータコンテンツがカーソルにより選択されていると、そのメタデータコンテンツの詳細情報が大きく表示される。
【００５０】
次に、図８及び図９を用いて、上記依頼メールを受信した配信サーバ１の動作例を説明する。図８は、地図情報や店舗情報などの特定の視聴者に対して発行するものでないメタデータコンテンツの画像データを添付したＨＴＭＬ形式の電子メールを生成して送信する動作例を示すフローチャートである。また、図９は、クーポン券などの特定の視聴者に対して発行する、メタデータコンテンツの画像データを添付したＨＴＭＬ形式の電子メールを生成して送信する動作例を示すフローチャートである。
【００５１】
図８において、配信サーバ１の通信制御部１３は、ＳＴＢ・２から依頼電子メールを受信する（ステップＳ３１）。
次に、メタデータ加工部１４は、依頼電子メールからユーザＩＤを抽出し、このユーザＩＤにより、ユーザ情報部１５から、このユーザＩＤに対応した携帯電話リモコン３のメールアドレスを検索して読み出す（ステップＳ３２）。
【００５２】
次に、メタデータ加工部１４は、メタデータＩＤからメタデータコンテンツのＵＲＬを抽出して、図７に示す様に、このＵＲＬの示す先のＨＴＭＬ本体をメール内容とし、またＨＴＭＬより指定される画像データを全て添付ファイルとして、電子メールから呼び出せるように加工する（ステップＳ３３）。また、メタデータ加工部１４は、メタデータコンテンツの詳細な情報を有するリンク先を示すＵＲＬを添付することも必要に応じて行う。
そして、メタデータ加工部１４は、加工されたメタデータコンテンツの付加された電子メールと、この電子メールの宛先を示すメールアドレスをＳＭＴＰサーバ５へ送信する（ステップＳ３４）。
これにより、ＳＭＴＰサーバ５はメタデータ加工部１４から送信された電子メールを、上記メールアドレスに対して送信し、携帯電話リモコン３はこの電子メールをメール受信部３４により受信し、入力制御部３２がこの電子メールをメール表示部３５に表示する。
【００５３】
次に、図９において、配信サーバ１の通信制御部１３は、ＳＴＢ・２から依頼電子メールを受信する（ステップＳ４１）。
次に、メタデータ加工部１４は、依頼電子メールからユーザＩＤを抽出し、このユーザＩＤにより、ユーザ情報部１５から、このユーザＩＤに対応した携帯電話リモコン３のメールアドレス及びユーザ名を検索して読み出す（ステップＳ４２）。
【００５４】
次に、メタデータ加工部１４は、メタデータＩＤからメタデータコンテンツのＵＲＬを抽出して、このＵＲＬの示す先のＨＴＭＬ本体をメール内容とし、ユーザ名及びユーザのメールアドレスなどの視聴者を識別する情報を図７に示す様に埋め込む。
また、メタデータ加工部１４は、ＨＴＭＬより指定される画像データを全て添付ファイルとして、電子メールから呼び出せるように加工する（ステップＳ４３）。また、メタデータ加工部１４は、メタデータコンテンツの詳細な情報を有するリンク先を示すＵＲＬを添付することも必要に応じて行う。
【００５５】
そして、メタデータ加工部１４は、加工されたメタデータコンテンツの付加された電子メールと、この電子メールの宛先を示すメールアドレスをＳＭＴＰサーバ５へ送信する（ステップＳ４４）。
これにより、ＳＭＴＰサーバ５はメタデータ加工部１４から送信された電子メールを、上記メールアドレスに対して送信し、携帯電話リモコン３はこの電子メールをメール受信部３４により受信し、入力制御部３２がこの電子メールを、図７に示す様にメール表示部３５に表示する。
【００５６】
上述したように、従来、デジタル放送に連携したメタデータを表示する環境（以下ＭＭＴＶ環境と呼ぶ）においては、メタデータは番組の進行とともに表示され更新される為、番組終了後には参照できなくなるか、また探しづらい状態となっている。
このため、本発明の実施形態は、視聴者が視聴中のメタデータコンテンツを、携帯電話リモコン３の十字キーでカーソルを移動させて選択し、ブックマークキーを押すことにより、ＳＴＢ・２のユーザ別領域部２６に保存することができる。
また、本発明の実施形態は、ユーザ別領域部２６への保存と同時に、選択されたメタデータコンテンツを、予め登録してある携帯電話値も今３のメールアドレスへの転送や、保存後のブックマーク一覧から選択してメール送信することもできる。
【００５７】
上記メール送信の際、本発明の実施形態は、電子メール内にＵＲＬを記述してＷＥＢからアクセスさせるのではなく、ＨＴＭＬメールとしてメタデータ本体をメールとして送信しており、また、電子メールで転送する前に、配信サーバ１側でクーポン券等の特定の視聴者に提供するサービス情報に対して、提供する視聴者を識別することができるユーザＩＤを付加している。
上述した構成により、本発明の実施形態は、番組の視聴中にこの内容に集中し、メタデータコンテンツを、番組終了後の時間に余裕のある時に参照・管理することができ、メタデータコンテンツの内容が地図情報やクーポン券等の場合で持運んで参照したり利用したりしたい時に、予め携帯電話に転送することができる。
【００５８】
また、本発明の実施形態は、メタデータコンテンツそのものを、携帯電話に転送するため、メール本体ですぐ参照でき、また従来のＵＲＬでクーポン券情報を表示するに比べ電波状態が悪いために表示できないといった問題を解決することができ、ユーザ（視聴者）の識別情報を付加することでユーザ認証が可能となり、所定の番組を視聴した視聴者のみクーポン券の利用をさせることができる。
さらに、本発明の実施形態は、参照する操作の手間が省け、メタデータを効果的に利用することができる。
【００５９】
なお、図１におけるＳＴＢ・２の２１〜２５の構成の機能，また配信サーバ１４の機能を実現するためのプログラムをコンピュータ読み取り可能な記録媒体に記録して、この記録媒体に記録されたプログラムをコンピュータシステムに読み込ませ、実行することによりＳＴＢ・２の２１〜２５の構成の処理，また配信サーバ１４の処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００６０】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００６１】
【図１】本発明の一実施形態によるデジタル放送システムの構成例を示すブロック図である。
【図２】ＴＶモニタ４の画面における表示形態及び携帯電話リモコン３の各種キーを説明する概念図である。
【図３】図１の携帯電話リモコン３の動作例を示すフローチャートである。
【図４】図１のＳＴＢ・２の動作例を示すフローチャートである。
【図５】図１におけるＳＴＢ・２のユーザ別領域部２６の構成と、ブックマークされたメタデータコンテンツのメタデータＩＤを記録する処理を説明する概念図である。
【図６】携帯電話リモコン３のメニューキーを押した以降の処理を説明する概念図である。
【図７】携帯電話リモコン３のメール表示部３５に表示される配信サーバ１からのメールの構成例を示す概念図である。
【図８】配信サーバ１における携帯電話リモコン３へ送信する電子メールを生成する動作例を示すフローチャートである。
【図９】配信サーバ１における携帯電話リモコン３へ送信する電子メールを生成する動作例を示すフローチャートである。
【図１０】従来例によるデジタル放送システムの構成例を示すブロック図である    である。
【符号の説明】
【００６２】
１…配信サーバ
２…ＳＴＢ（セットトップボックス）
３…携帯電話リモコン
４…ＴＶモニタ
５…ＳＭＴＰ（Simple Mail Transfer Protocol）サーバ
１１…コンテンツ制御部
１２…メタデータ制御部
１３…通信制御部
１４…メタデータ加工部
１５…ユーザ情報部
１６…番組コンテンツ部
１７…ＣＭコンテンツ部
１８…メタデータコンテンツ部
１９…番組メタデータ部
２０…番組ＣＭデータ部
２１…通信制御部
２２…同期処理部
２３…メタデータ操作制御部
２４…表示データ再生部
２５…リモコンコード情報部
２６…ユーザ別領域部
２７…リモコンコード情報部
２８…携帯電話識別ＩＤ登録部
２９…赤外線発行部
３１…各種キー入力部
３２…入力制御部
３３…リモコンコード制御部
３４…メール受信部
３５…メール表示部
３６…リモコンコード情報部
３７…携帯電話識別ＩＤ部
３８…赤外線発行部
【図１】
2006246064.tif 000003
【図２】
2006246064.tif 000004
【図３】
2006246064.tif 000005
【図４】
2006246064.tif 000006
【図５】
2006246064.tif 000007
【図６】
2006246064.tif 000008
【図７】
2006246064.tif 000009
【図８】
2006246064.tif 000010
【図９】
2006246064.tif 000011
【図１０】
2006246064.tif 000012